(57)【要約】【課題】貯蓄遊技媒体を再プレイした場合に景品交換をした場合よりも得であることを遊技者にアピールすることで、再プレイを促進し稼動を高めることが可能な遊技場用システムを提供する。【解決手段】５００円相当の特殊景品の交換に必要な玉数である単位交換数が、貯玉を利用して５００円分の玉を貸出すのに必要な玉数よりも大きくなるように設定した遊技場において、貯玉を貸出した場合に、手数料無しの場合は単位交換数から単位貸出数を差引いた「お得玉」の数、手数料有の場合は単位交換数から単位貸出数及び単位手数料数を差引いた「お得玉」の数を表示するようにした。【選択図】図４
2012143290.tif 000002
【特許請求の範囲】
【請求項１】
貨幣を受付けて遊技媒体を貸出すときの貸出単価を特定可能な情報である貸出単価情報を記憶する貸出単価記憶手段と、
遊技媒体を景品と交換するときの交換単価を特定可能な情報である交換単価情報を記憶する交換単価記憶手段と、
遊技者が遊技により獲得した遊技媒体を遊技者の識別情報と対応付けて貯蓄遊技媒体として貯蓄する貯蓄手段と、
貨幣の受付に応じて遊技媒体を貸出すと共に、前記貯蓄遊技媒体の数に基づいて再プレイ遊技媒体を貸出す貸出手段と、
前記貸出手段が前記再プレイ遊技媒体を貸出す場合に、前記貯蓄遊技媒体から貸出した遊技媒体数と当該貸出した遊技媒体数に応じた手数料に相当する遊技媒体数を減算する再プレイ時減算手段と、
前記貯蓄遊技媒体を景品に交換する景品交換手段と、
前記景品交換手段が前記貯蓄遊技媒体を景品に交換する場合に、前記交換単価情報に基づいて前記貯蓄遊技媒体の数から景品に応じた遊技媒体数を減算する景品交換時減算手段と、
前記貸出手段が所定数の再プレイ遊技媒体を貸出した場合に、当該再プレイ遊技媒体数及び当該所定数の再プレイ遊技媒体に応じた手数料に相当する遊技媒体数の和と、当該所定数の遊技媒体の貸出に必要な貨幣に相当する景品と交換する場合に、前記景品交換時減算手段により減算される遊技媒体数との差を損得指標として特定する損得指標特定手段と、
前記貸出手段に対応して設けられ、前記貯蓄遊技媒体に関する情報を表示する表示手段と、を備え、
前記表示手段は、前記貸出手段が所定数の再プレイ遊技媒体を貸出した場合に、前記損得指標特定手段が特定した前記損得指標を表示することを特徴とする遊技場用システム。
【請求項２】
所定期間において前記損得指標特定手段が特定した損得指標の累計値を算出する算出手段を備え、
前記表示手段は、前記算出手段が算出した算出した累計値を表示することを特徴とする請求項１記載の遊技場用システム。
【発明の詳細な説明】
【技術分野】
【０００１】
本発明は、単位金額に相当する特殊景品の交換に必要な遊技媒体数である単位交換数が、貯蓄遊技媒体を利用して単位金額分の遊技媒体を貸出すのに必要な遊技媒体よりも大きくなるように設定した遊技場に好適な遊技場用システムに関する。
【背景技術】
【０００２】
従来の遊技場では、遊技者が獲得した遊技媒体を貯蓄して遊技場に預け入れ、貯蓄した遊技媒体を対価として景品交換を可能としたり、その後遊技するときに貯蓄した遊技媒体を対価として再プレイ遊技媒体の貸出しを可能としたりする貯蓄システムが導入されている。また、ある遊技場では、再プレイ時の手数料率を景品交換率よりも低く設定することで、再プレイを促進し、稼動の向上を図っている。
【先行技術文献】
【特許文献】
【０００３】
【特許文献１】特開２００１−０００７２６号公報
【特許文献２】特開２００２−３１５９４７号公報
【発明の概要】
【発明が解決しようとする課題】
【０００４】
ところが、現状の再プレイシステムでは、交換可能な遊技媒体数（度数）を表示するだけで再プレイ時に手数料率（数）や交換率（数）を表示しないので、遊技者に対して景品交換するよりも再プレイした方が得であることを十分にアピールできておらず、仮に遊技者が景品交換よりも再プレイの方が得であることに気づいたとしても、どの程度得なのかをアピールできていないため、再プレイの促進に繋がっていない（特許文献１、特許文献２参照）。
本発明は上記事情に鑑みてなされたもので、その目的は、貯蓄遊技媒体を再プレイした場合に景品交換をした場合よりも得であることを遊技者にアピールすることで、再プレイを促進し稼動を高めることが可能な遊技場用システムを提供することにある。
【課題を解決するための手段】
【０００５】
本発明の遊技場用システムは、貨幣を受付けて遊技媒体を貸出すときの貸出単価を特定可能な情報である貸出単価情報を記憶する貸出単価記憶手段と、遊技媒体を景品と交換するときの交換単価を特定可能な情報である交換単価情報を記憶する交換単価記憶手段と、遊技者が遊技により獲得した遊技媒体を遊技者の識別情報と対応付けて貯蓄遊技媒体として貯蓄する貯蓄手段と、貨幣の受付に応じて遊技媒体を貸出すと共に、前記貯蓄遊技媒体の数に基づいて再プレイ遊技媒体を貸出す貸出手段と、前記貸出手段が前記再プレイ遊技媒体を貸出す場合に、前記貯蓄遊技媒体から貸出した遊技媒体数と当該貸出した遊技媒体数に応じた手数料に相当する遊技媒体数を減算する再プレイ時減算手段と、前記貯蓄遊技媒体を景品に交換する景品交換手段と、前記景品交換手段が前記貯蓄遊技媒体を景品に交換する場合に、前記交換単価情報に基づいて前記貯蓄遊技媒体の数から景品に応じた遊技媒体数を減算する景品交換時減算手段と、前記貸出手段が所定数の再プレイ遊技媒体を貸出した場合に、当該再プレイ遊技媒体数及び当該所定数の再プレイ遊技媒体に応じた手数料に相当する遊技媒体数の和と、当該所定数の遊技媒体の貸出に必要な貨幣に相当する景品と交換する場合に、前記景品交換時減算手段により減算される遊技媒体数との差を損得指標として特定する損得指標特定手段と、前記貸出手段に対応して設けられ、前記貯蓄遊技媒体に関する情報を表示する表示手段と、を備え、前記表示手段は、前記貸出手段が所定数の再プレイ遊技媒体を貸出した場合に、前記損得指標特定手段が特定した前記損得指標を表示するものである（請求項１）。
【０００６】
請求項１記載の遊技場用システムにおいて、
所定期間において前記損得指標特定手段が特定した損得指標の累計値を算出する算出手段を備え、前記表示手段は、前記算出手段が算出した算出した累計値を表示するようにしてもよい（請求項２）。
【発明の効果】
【０００７】
請求項１の発明によれば、貯蓄遊技媒体を再プレイ遊技媒体として貸出した場合に、貯蓄遊技媒体を景品交換に利用した場合と比較してどの程度得したかを損得指標によって示すので、遊技者に対して再プレイした方がどの程度得であるのかをアピールすることができ、再プレイを促進することができる。
請求項２の発明によれば、例えば、当日分の損得指標を累積して表示するので、再プレイをするほど遊技者が得をしていることを印象付けることができ、より再プレイを促進できる。
【図面の簡単な説明】
【０００８】
【図１】本発明の一実施形態におけるシステムの全体構成を概略的に示す図
【図２】交換率情報を示す図
【図３】表示部を示す正面図
【図４】手数料が無料での貯玉貸出画面の一例を示す図
【図５】手数料が２５個の場合を示す図４相当図
【図６】客側表示部の一例を示す図
【発明を実施するための形態】
【０００９】
以下、本発明の一実施形態について図面を参照して説明する。
図１はシステムの全体構成を概略的に示している。遊技場には遊技機１及び貸出装置２（貸出手段、再プレイ時減算手段、損得指標特定手段、算出手段に相当）が設置されており、２台の遊技機１及び貸出装置２に対して中継装置３が設置されている。遊技島毎に計数装置４が設置され、景品交換カウンタには交換装置５（景品交換手段、景品交換時減算手段に相当）が設置され、事務所には管理装置６（貸出単価記憶手段、交換単価記憶手段、貯蓄手段に相当）が設置されている。管理装置６は、ＬＡＮ７を介して中継装置３、計数装置４、交換装置５等の各種端末装置と接続されており、各種情報（稼動情報、設定情報等）の送受信を可能としている。
【００１０】
遊技者が獲得した遊技媒体（以下「玉」という）は、計数装置４または交換装置５にて会員カードを受付することで貯蓄することが可能であり、貸出装置２または交換装置５にて貯玉（貯蓄遊技媒体に相当）を対価とした貯玉サービス（景品交換や再プレイ玉（再プレイ遊技媒体に相当）の貸出し）等が可能となっている。単位交換数や再プレイ時における手数料玉数は、種別設定画面で設定された値による。
【００１１】
管理装置６は、会員ＤＢ（データベース）を備え、新たな貯蓄や貯玉サービスに応じて貯玉数（口座の玉数）を更新する。また、特殊景品を交換する場合は、単位交換数に基づいて特殊景品の対価を特定し、手数料に基づいて再プレイ処理の対価貯玉を特定する。
管理装置６には玉を貸出したり、玉と特殊景品とを交換したりする際に必要となる交換率情報が管理者により設定されている。
図２は交換率情報を示しており、次の各項目が設定されている。
・単位貸出数（貸出単価情報に相当。管理装置６では５００円分の貸出玉数を入力する構成となっているので、単位貸出数は貸出単価を特定可能な情報に相当する。）・・・５００円分の貸出玉数。
・貸出単価（貸出単価情報に相当）・・・貸出玉１個当たりの金額。
・単位交換数（交換単価情報に相当。管理装置６では５００円分の交換玉数を入力する構成となっているので、単位交換数は交換単価を特定可能な情報に相当する。）・・・５００円相当の特殊景品との交換に必要な玉数。
・交換単価（交換単価情報に相当）・・・景品交換した場合の玉１個当たりの金額。
・単位手数料数・・・貯玉を再プレイ玉として５００円分の玉（１２５個）を貸出すごとに、手数料として貯玉数から差引く玉数。
【００１２】
貸出装置２及び交換装置５は、例えば電源投入時に管理装置６に記憶された単位手数料、単位交換数、単位貸出数を取得して記憶するようになっている。
貸出装置２には、図１に示すように貨幣投入口８、表示部９（表示手段に相当）、貸出部１０、カード挿入口１１が設けられている。貸出装置２は、貨幣投入口８への５００円を単位金額とする投入金額に応じて玉を貸出す場合は、投入金額を単位貸出数で除算することにより求めた貸出数だけの玉を貸出部１０から貸出す。
【００１３】
図３は貸出装置２の表示部９を示す正面図である。表示部９には、液晶表示部１２、この液晶表示部１２に表示する表示対象を選択するための複数の選択ボタン１３、再プレイボタン１４及び呼出ボタン１５が設けられており、対応する遊技機１、或いは選択した遊技機１の遊技データが表示可能であると共に、テレビ画面を表示可能となっている。
【００１４】
図１に戻って、計数装置４の玉投入部１６は通常は図示しないカバー部材により閉鎖されており、そのカバー部材が電子錠でロックされることによりカバー部材の開放が禁止されている。有効な会員ＩＤカードが読取部にかざされるか、係員が携帯するリモコンで解除操作が行われた場合にロックが解除され、カバー部材を開放することで玉投入部１６への玉の投入が可能となる。会員カードを携帯していない非会員が計数装置４で計数を行いたい場合は、計数装置４の呼出ボタン１７を押下することで係員を呼出して解除操作を行ってもらう。
【００１５】
カバー部材を開放して玉投入部１６へ玉を投入することにより計数装置４が計数を開始し、発行ボタン１８を押下すると計数した玉数を表記したレシートが発行部１９から発行される。このとき、計数装置４は、レシートの識別番号とこれに対応付けて玉数情報をレシート情報として管理装置６へ送信する。また、会員カードの読取状態で計数した後、貯玉ボタン２０を押下げることで、計数した玉を貯蓄することができる。貯玉情報は遊技者ＩＤと対応付けて管理装置６へ送信され、管理装置６において貯玉情報として記憶される。この貯玉情報により貸出装置２において再プレイ処理を実行することができる。
【００１６】
さて、貸出装置２において貯玉で再プレイするには、貸出装置２のカード挿入口１１に会員カードを挿入した状態で再プレイボタン１４を押下げる。液晶表示部１２にパスワード入力画面が表示されるので、４桁のパスワードを入力すると、貸出装置２は、パスワードが正しければ１２５個の玉を貸出す。この場合、１日の再プレイ玉数の累積が１２５０個（１０回分までの再プレイ）まで手数料が無料で再プレイすることができるものの、それ以上の再プレイでは手数料が必要となることから、貸出装置２は、再プレイ処理を実行する場合は再プレイ玉数の累積に応じた貯玉貸出画面を表示する。
【００１７】
図４は手数料無料での貯玉貸出画面の一例を示している。つまり、再プレイの累計が１日１２５０個（１０回の再プレイ）まで手数料が無料となっていることから、その場合の表示形態である。貯玉貸出画面には現在実行中の再プレイによるお得玉（損得指標に相当）を表示するお得玉表示部１２ａ、貸出玉数表示部１２ｂ、手数料表示部１２ｃが設けられていると共に、本日の累計に対応して再プレイ表示部１２ｄ、手数料表示部１２ｅ、お得玉表示部１２ｆが設けられている。さらに残高表示部１２ｇ及びメッセージ表示部１２ｈが設けられている。
図４に示す例では、本日５回目の再プレイによる貸出中であり、「本日の累計」、「残高」には未だ４回分しか反映されていない状態を示している。即ち、再プレイ＝１２５×４＝５００（個）、手数料＝０×４＝０（個）、お得玉＝４０×４＝１６０（個）となる。
【００１８】
お得玉とは、貯玉を再プレイ玉として利用したことで特殊景品と交換した場合よりもどの程度遊技者が得したかを示す指標である。即ち、特殊景品と交換する場合（換金する場合）は５００円分で１６５個必要とするが、再プレイする場合は５００円分が１２５個に相当することから、換金するよりも再プレイした方が４０個得するという意味である。このお得玉を計算式で示すと、お得玉＝単位交換数−単位貸出数＝１６５−１２５＝４０（個）となる。
従って、お得玉の表示を見た遊技者は、手数料が無料の場合は、再プレイした方が換金するよりも５００円当たり３．３円×４０＝１３２円も得であることが分るので、再プレイを積極的に行おうと思うようになる。
【００１９】
図５は手数料が２５個の場合の貯玉貸出画面の一例を示している。つまり、再プレイ玉の累計が１日１２５０個（１０回の再プレイ）を上回る場合は手数料が必要となることから、その場合の表示形態である。図５に示す例は、本日１５回目の再プレイによる貸出中であり、「本日の累計」、「残高」には１４回分反映した状態を示している。即ち、再プレイ＝１２５×１４＝１７５０（個）、手数料＝０×１０＋２５×４＝１００（個）、お得玉＝４０×１０＋１５×４＝４６０（個）となる。尚、残高は図４に示す手数料無料の例との比較により、残高＝９４００−１２５×６−（１２５＋２５）×４＝８０５０（個）となる。この場合のお得玉を計算式で示すと、お得玉＝単位交換数−（単位貸出数＋単位手数料）＝１６５−（１２５＋２５）＝１５（個）となる。
従って、お得玉の表示を見た遊技者は、手数料を要する場合であっても再プレイした方が換金するよりも５００円当たり３．３円×１５＝４９．５円も得であることが分るので、再プレイを積極的に行おうと思うようになる。
また、各貯玉貸出画面においてお得玉表示部１２ｆには本日の累計のお得玉が表示されるので、お得感を一層アピールすることができる。
【００２０】
さて、貯玉会員は計数装置４にて貯蓄することにより再プレイ可能となるが、非会員は貯玉できないことから、計数装置４からレシートを発行して交換カウンタに提出することになる。
係員が交換装置５にてレシートを読込むと、交換装置５は、管理装置６が記憶したレシート情報を読み出して照合し、一致すれば景品交換処理を開始する。また、会員が貯玉にて景品交換を行う場合には、貯玉の引出し時に景品交換処理を開始する。交換装置５には店員側表示部２１（図１参照）の他に客側表示部が設けられており、その客側表示部に、読込んだ（引出した）玉で交換可能な特殊景品数と、損玉を表示する。損玉とは、上述したお得玉の逆で、玉を貯蓄して再プレイ玉として利用するよりも特殊景品と交換した方がどの程度遊技者にとって損であるかを示す指標である。尚、遊技者から貯蓄の申し出があった場合には、貯蓄することができる。
【００２１】
図６は客側表示部の一例を示している。客側表示部２２には、交換可能な特殊景品の個数が表示される。即ち、大景品表示部２２ａには１６５０個（５０００円相当）相当の大景品と交換可能な最大数が表示され、中景品表示部２２ｂには大景品で交換できなかった残り数を３３０個（１０００円相当）相当の中景品で交換可能な最大数が表示され、小景品表示部２２ｃには中景品で交換できなかった残り数を３３個（１００円相当）相当の小景品で交換可能な最大数が表示され、３２個以下は余りとなる。レシート表示部２２ｄは読込んだレシートの枚数を表示し、会員カード表示部２２ｅは会員カードの読込中であることを示し、総数表示部２２ｆは読込んだ玉の総数を示し、余り玉表示部２２ｇは総数を特殊景品或いは一般景品と景品交換した際の余りを示している。損玉表示部２２ｈは再プレイと比較した場合の景品交換により損する玉数を示している。景品表示部２２ｉは遊技者が係員に選択させた一般景品の種類及び個数を示す。
【００２２】
図６に示す例では、レシートから読込んだ玉の総数が１２０８８個、大景品が７個、中景品が１個、小景品が６個、余りが１０個であり、損玉が１０９８個であることを示している。この場合の損玉は、損玉＝特殊景品との交換対象玉数÷単位交換数×（単位交換数−単位貸出数−単位手数料数）＝（１２０８８−１０）÷１６５×（１６５−１２５−２５）＝１０９８（個）となる。
従って、レシートを提出した非会員は、表示される損玉を確認することにより損したことを意識するようになり、会員となって遊技した方が得であると思うようになる。一方、会員が貯玉を景品交換しようとした場合も、同様に損を意識するようになることから、再プレイした方が得であると思うようになり、景品交換を思いとどまらせることが可能となる。
【００２３】
このような実施形態によれば、５００円相当の特殊景品の交換に必要な玉数である単位交換数が、貯玉を利用して５００円分の玉を貸出すのに必要な玉数よりも大きくなるように設定した遊技場において、貯玉を貸出した場合に、手数料無しの場合は単位交換数から単位貸出数を差引いた「お得玉」の数、手数料有の場合は単位交換数から単位貸出数及び単位手数料数を差引いた「お得玉」の数を表示するようにしたので、会員に対して再プレイした方がどの程度得であるのかをアピールすることができ、再プレイを促進することができると共に、非会員に対して貯玉会員となる動機付することができる。
当日分の損得指標を累積して表示するようにしてので、再プレイをするほど遊技者が得をしていることを印象付けることができ、より再プレイを促進できる。
尚、遊技媒体の概念には、いわゆる封入式遊技機に用いられる得点も含まれる。
【００２４】
（その他の実施形態）
本実施形態では交換装置５が表示手段を備えているが、計数装置４に表示手段を備えて計数装置で損得指標を表示するようにしても良い。また、計数装置４は遊技機毎に備えた各台計数装置としても良く、この場合各台計数装置に表示手段を備えても良い。この場合、損得指標特定手段を計数装置に備えるのが好ましい。但し、計数装置は、手数料、貸出単価情報、交換単価情報を記憶する必要がある。
また、損得指標特定手段は貸出装置２でなく、例えば管理装置６が備えていても良い。
本発明をスロットマシンのメダル交換に適用しても良い。
【符号の説明】
【００２５】
図面中、１は遊技機、２は貸出装置（貸出手段、再プレイ時減算手段、損得指標特定手段、算出手段）、４は計数装置、５は交換装置（景品交換手段、景品交換時減算手段）、６は管理装置（貸出単価記憶手段、交換単価記憶手段、貯蓄手段）である。
【図１】
2012143290.tif 000003
【図２】
2012143290.tif 000004
【図３】
2012143290.tif 000005
【図４】
2012143290.tif 000006
【図５】
2012143290.tif 000007
【図６】
2012143290.tif 000008